(57)【要約】【課題】光検出器の誤った位置調整を容易に判定可能な光検出器の位置調整方法およびこの方法に用いて好適な光ピックアップ装置を提供する。【解決手段】光ピックアップ装置１は、ＤＯＥ２００と、ＤＶＤ光の０次回折光とＢＤ光の＋１次回折光を受光する４分割センサＳ１と、ＣＤ光の０次回折光を受光する４分割センサＳ４とを有する光検出器１１０と、を備える。光検出器１１０の位置調整は、ＤＶＤ光の０次回折光が４分割センサＳ１に受光されるよう、４分割センサＳ１の各センサからの出力信号に基づいて、光検出器１１０の位置を調整するステップＳ１０４と、４分割センサＳ４に対するＤＶＤ光の＋１次回折光の入射状態を、４分割センサＳ４の各センサからの出力信号に基づいて判定し、ステップＳ１０４における光検出器１１０の位置調整の真偽を判定する工程Ｓ１０５と、を含む。【選択図】図１０
2013222484.tif 000002
【特許請求の範囲】
【請求項１】
ディスクによって反射された第１、第２および第３のレーザ光が入射するとともに、入射した前記第１、第２および第３のレーザ光を、それぞれ、所定の回折方向に回折させる回折素子と、
前記回折素子によって回折された前記第１のレーザ光の回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部とを有する光検出器と、を備える光ピックアップ装置における光検出器の位置調整方法であって、
前記第２のレーザ光の前記非回折光が前記第１のセンサ部に受光されるよう、前記第１のセンサ部からの出力信号に基づいて、前記光検出器の位置を調整する第１調整工程と、
前記第２のセンサ部に対する前記第２のレーザ光の前記回折光の入射状態を、前記第２のセンサ部からの出力信号に基づいて監視し、前記第１調整工程における前記光検出器の位置調整の真偽を判定する判定工程と、を含む、
ことを特徴とする光検出器の位置調整方法。
【請求項２】
請求項１に記載の光検出器の位置調整方法において、
前記判定工程において前記光検出器の位置調整が偽であると判定された場合、前記光検出器を前記回折方向と反対方向に移動させた後、前記第１調整工程と前記判定工程を再度実行する、
ことを特徴とする光検出器の位置調整方法。
【請求項３】
請求項１または２に記載の光検出器の位置調整方法において、
前記判定工程において前記光検出器の位置調整が真であると判定された場合、前記第３のレーザ光の前記非回折光が前記第２のセンサ部に受光されるよう、前記第２のセンサ部からの出力信号に基づいて、前記光検出器を前記第１のセンサ部の中心について回転させる第２調整工程をさらに含む、
ことを特徴とする光検出器の位置調整方法。
【請求項４】
請求項１ないし３の何れか一項に記載の光検出器の位置調整方法において、
前記光ピックアップ装置は、前記回折素子を前記第１、第２および第３のレーザ光の進行方向に平行に移動させる支持機構を備え、
少なくとも前記判定工程の前に、前記前記第２のセンサ部に前記第２のレーザ光の前記回折光が入射する位置に、前記回折素子を移動させる移動工程を含む、
ことを特徴とする光検出器の位置調整方法。
【請求項５】
ディスクによって反射された第１、第２および第３のレーザ光が入射するとともに、入射した前記第１、第２および第３のレーザ光を、それぞれ、所定の回折方向に回折させる回折素子と、
前記回折素子によって回折された前記第１のレーザ光の回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部とを有する光検出器と、を備え、
前記第２のセンサ部は、前記第３のレーザ光の前記非回折光が照射される照射位置に対する前記回折方向の受光領域が、前記照射位置に対する前記回折方向と反対側の受光領域よりも広くなっている、
ことを特徴とする光ピックアップ装置。
【請求項６】
請求項５に記載の光ピックアップ装置において、
前記回折素子を前記第１、第２および第３のレーザ光の進行方向に平行に所定のストロークだけ移動させる支持機構を備え、
前記第２のセンサ部の受光領域は、前記回折素子が前記移動ストロークにおいて移動したときの、前記光検出器上における前記第２のレーザ光の前記回折光の移動範囲に応じて設定されている、
ことを特徴とする光ピックアップ装置。
【請求項７】
ディスクによって反射された第１、第２および第３のレーザ光が入射するとともに、入射した前記第１、第２および第３のレーザ光を、それぞれ、所定の回折方向に回折させる回折素子と、
前記回折素子によって回折された前記第１のレーザ光の回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部とを有する光検出器と、
前記回折素子を前記第１、第２および第３のレーザ光の進行方向に平行に移動させる支持機構を備え、
前記支持機構は、移動範囲の限界位置に前記回折素子が位置付けられたときに、前記前記第２のセンサ部に前記第２のレーザ光の前記回折光が入射するよう構成されている、
ことを特徴とする光ピックアップ装置。
【請求項８】
ディスクによって反射された第１、第２および第３のレーザ光が入射するとともに、入射した前記第１、第２および第３のレーザ光を、それぞれ、所定の回折方向に回折させる回折素子と、
前記ディスクに向かう前記第１のレーザ光をメインビームと２つのサブビームに分割する回折格子と、
前記回折素子によって回折された前記第１のレーザ光の前記メインビームの回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部と、前記回折素子によって回折された前記第１のレーザ光の２つの前記サブビームの回折光を受光する第３のセンサ部とを有する光検出器と、
前記第１のセンサ部からの出力信号と前記第２のセンサ部からの出力信号の何れか一方を第１の出力端子群に供給する第１のセレクタと、
前記第３のセンサ部からの出力と前記第２のセンサ部からの出力の何れか一方を第２の出力端子群に供給する第２のセレクタと、
を備える光ピックアップ装置。
【発明の詳細な説明】
【技術分野】
【０００１】
本発明は、光検出器の位置調整方法および光ピックアップ装置に関し、特に、複数波長のレーザ光を光ディスクに照射する場合に用いて好適なものである。
【背景技術】
【０００２】
従来、複数の記録媒体に対応した互換型の光ピックアップ装置が開発されている。かかる光ピックアップ装置では、異なる波長のレーザ光を用いて情報の読み書きが行われる。この種の光ピックアップ装置で用いられる半導体レーザとして、異なる波長の２つのレーザ光を出射する２波長レーザが知られている（たとえば、特許文献１）。さらに、近年では、異なる波長の３つのレーザ光を出射する３波長レーザが用いられることもある。
【０００３】
このように異なる波長のレーザ光を出射する半導体レーザを用いることにより、部品点数の削減を図ることができる。さらに、異なる波長のレーザ光の光軸を光検出器上において一致させることにより、光検出器のセンサレイアウトを簡素化することができる。ここで、２つのレーザ光の光軸を一致させるための光学素子として、たとえば、回折素子が用いられる（たとえば、特許文献２）。
【先行技術文献】
【特許文献】
【０００４】
【特許文献１】特開２００１−２３０５０１号公報
【特許文献２】特開２００６−９９９４１号公報
【発明の概要】
【発明が解決しようとする課題】
【０００５】
上記のように光軸調整のために回折素子を用いると、各波長のレーザ光が、回折されない０次の回折光と、回折された所定次数の回折光に分かれる。一方、光検出器の位置調整は、各波長のレーザ光の所定次数の回折光が対応するセンサに受光されるように行われる。ところが、上記のように回折素子によってレーザ光が複数に分かれると、センサに受光されるべき次数の回折光ではない回折光が、当該センサに受光されるように、光検出器の位置調整が行われることが起こり得る。しかしながら、作業者は、センサからの出力バランスを監視して光検出器の位置調整を行うため、上記のように誤った次数の回折光をもとに位置調整を行っていることを、容易に知ることができない。このため、誤った位置調整を継続するとの事態が生じ、位置調整の作業性が低下するとの問題が生じる。
【０００６】
本発明は、かかる課題を解消するためになされたものであり、光検出器の誤った位置調整を容易に判定可能な光検出器の位置調整方法およびこの方法に用いて好適な光ピックアップ装置を提供することを目的とする。
【課題を解決するための手段】
【０００７】
本発明の第１の態様は、光検出器の位置調整方法に関する。本態様において、光ピックアップ装置は、ディスクによって反射された第１、第２および第３のレーザ光が入射するとともに、入射した前記第１、第２および第３のレーザ光を、それぞれ、所定の回折方向に回折させる回折素子と、前記回折素子によって回折された前記第１のレーザ光の回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部とを有する光検出器と、を備える。そして、
本態様に係る光検出器の位置調整方法は、前記第２のレーザ光の前記非回折光が前記第１のセンサ部に受光されるよう、前記第１のセンサ部からの出力信号に基づいて、前記光検出器の位置を調整する第１調整工程と、前記第２のセンサ部に対する前記第２のレーザ光の前記回折光の入射状態を、前記第２のセンサ部からの出力信号に基づいて監視し、前記第１調整工程における前記光検出器の位置調整の真偽を判定する判定工程と、を含む。
【０００８】
本発明の第２の態様は、光ピックアップ装置に関する。この態様に係る光ピックアップ装置は、ディスクによって反射された第１、第２および第３のレーザ光が入射するとともに、入射した前記第１、第２および第３のレーザ光を、それぞれ、所定の回折方向に回折させる回折素子と、前記回折素子によって回折された前記第１のレーザ光の回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部とを有する光検出器と、を備える。ここで、前記第２のセンサ部は、前記第３のレーザ光の前記非回折光が照射される照射位置に対する前記回折方向の受光領域が、前記照射位置に対する前記回折方向と反対側の受光領域よりも広くなっている。
【０００９】
本発明の第３の態様は、光ピックアップ装置に関する。本態様に係る光ピックアップ装置は、ディスクによって反射された第１、第２および第３のレーザ光が入射するとともに、入射した前記第１、第２および第３のレーザ光を、それぞれ、所定の回折方向に回折させる回折素子と、前記回折素子によって回折された前記第１のレーザ光の回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部と、を有する光検出器と、前記回折素子を前記第１、第２および第３のレーザ光の進行方向に平行に移動させる支持機構を備える。ここで、前記支持機構は、移動範囲の限界位置に前記回折素子が位置付けられたときに、前記前記第２のセンサ部に前記第２のレーザ光の前記回折光が入射するよう構成されている。
【００１０】
本発明の第４の態様は、光ピックアップ装置に関する。この態様に係る光ピックアップ装置は、ディスクによって反射された第１、第２および第３のレーザ光が入射するとともに、入射した前記第１、第２および第３のレーザ光を、それぞれ、所定の回折方向に回折させる回折素子と、前記ディスクに向かう前記第１のレーザ光をメインビームと２つのサブビームに分割する回折格子と、前記回折素子によって回折された前記第１のレーザ光の前記メインビームの回折光と前記回折素子により回折されずに前記回折素子を透過する前記第２のレーザ光の非回折光とを受光する第１のセンサ部と、前記第１のセンサ部に対して前記回折方向に変位するように配置され、前記回折素子により回折されずに前記回折素子を透過した前記第３のレーザ光の非回折光を受光する第２のセンサ部と、前記回折素子によって回折された前記第１のレーザ光の２つの前記サブビームの回折光を受光する第３のセンサ部とを有する光検出器と、前記第１のセンサ部からの出力信号と前記第２のセンサ部からの出力信号の何れか一方を第１の出力端子群に供給する第１のセレクタと、前記第３のセンサ部からの出力と前記第２のセンサ部からの出力の何れか一方を第２の出力端子群に供給する第２のセレクタと、を備える。
【発明の効果】
【００１１】
本発明によれば、光検出器の誤った位置調整を容易に判定可能な光検出器の位置調整方法およびこの方法に用いて好適な光ピックアップ装置を提供することができる。
【００１２】
本発明の特徴は、以下に示す実施の形態により更に明らかとなろう。ただし、以下の実
施の形態は、あくまでも本発明の一つの実施形態であって、本発明ないし各構成要件の用語の意義は、以下の実施の形態により何ら制限されるものではない。
【図面の簡単な説明】
【００１３】
【図１】実施の形態に係る光ピックアップ装置の光学系を示す図である。
【図２】実施の形態に係る受光面上における照射位置を説明する図および受光面上に配される４分割センサを示す図である。
【図３】実施の形態に係るＤＯＥが支持部に設置された状態を示す図である。
【図４】実施の形態に係るＤＯＥの構成を示す図である。
【図５】実施の形態に係る支持部とバネ部材の構成を示す図である。
【図６】実施の形態に係るＤＯＥの設置工程を説明する図である。
【図７】実施の形態に係るＤＯＥの調整工程を説明する図である。
【図８】実施の形態に係るＤＯＥの移動位置とＤＶＤ光の回折状態との関係を説明する図である。
【図９】実施の形態に係る信号処理回路の構成を示す図である。
【図１０】実施の形態に係る光検出器の位置調整の流れを説明する図である。
【図１１】実施の形態に係るＤＯＥの調整工程を説明する図である。
【図１２】変更例に係る光検出器の構成を示す図である。
【発明を実施するための形態】
【００１４】
本実施の形態は、ＢＤ（Blu-ray Disc）、ＤＶＤ（Digital Versatile Disc）およびＣＤ（Compact Disc）にレーザ光を照射する光ピックアップ装置に本発明を適用したものである。
【００１５】
図１（ａ）、（ｂ）は、実施の形態に係る光ピックアップ装置１の光学系を示す図である。図１（ａ）は光学系を光ピックアップ装置１の表側から（ｙ軸正方向に）見た場合の平面図、図１（ｂ）は対物レンズアクチュエータ１２２周辺部分を側面側から見た内部透視図、図１（ｃ）は半導体レーザ１０１における発光部の配置状態を示す図である。なお、図１（ａ）〜（ｃ）には、それぞれ、互いに直交する３次元座標軸が付記されている。これら座標軸のうち、ｘ軸は、レーザ光源１０１の出射方向に平行であり、ｙ軸は、対物レンズ１０８の光軸に平行であり、ｚ軸は、コリメータレンズ１０５の光軸に平行である。
【００１６】
図１（ａ）を参照して、光ピックアップ装置１は、半導体レーザ１０１と、回折格子１０２と、ＰＢＳミラー１０３と、１／４波長板１０４と、コリメータレンズ１０５と、レンズアクチュエータ１０６と、立ち上げミラー１０７と、対物レンズ１０８と、回折光学素子（ＤＯＥ）２００と、非点収差板１０９と、光検出器１１０を備える。これら光学系の各部は、光ピックアップ装置１のハウジングＨ（図３参照）に設置されている。
【００１７】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。なお、特許請求の範囲に記載の第１、第２および第３のレーザ光は、それぞれ、ＢＤ光、ＤＶＤ光およびＣＤ光に対応する。
【００１８】
図１（ｃ）に示すように、半導体レーザ１０１は、一つのパッケージに、ＢＤ光、ＤＶＤ光、ＣＤ光をそれぞれ出射する発光部１０１ａ、１０１ｂ、１０１ｃを備える。発光部１０１ｂ、１０１ｃは、基板１０１ｅ上に間隔がｗ２となるように一体的に形成されている。発光部１０１ａは、基板１０１ｅとは異なる基板１０１ｄ上に、発光部１０１ａ、１０１ｂの間隔がｗ１（ｗ１＝ｗ２）となるように形成されている。基板１０１ｄ、１０１
ｅは、サブマウント１０１ｆ上に設置されている。発光部１０１ａ〜１０１ｃは、一直線上に並ぶように形成されている。半導体レーザ１０１以降の光学系は、その光軸がＤＶＤ光の光軸に整合するように調整されている。また、本実施の形態では、ｗ１、ｗ２は何れも９０μｍに設計されている。
【００１９】
ここで、発光部１０１ａと、発光部１０１ｂ、１０１ｃは、それぞれ、半導体製造プロセスによって、基板１０１ｄ、１０１ｅ上に形成される。このため、基板１０１ｄにおける発光部１０１ａの位置精度と、基板１０１ｅにおける発光部１０１ｂ、１０１ｃの位置精度は、十分に高められたものとなる。しかしながら、発光部が形成された基板１０１ｄ、１０１ｅは、電極、接合層等を介して、サブマウント１０１ｆ上に接合される。このため、サブマウント１０１ｆにおける基板１０１ｄ、１０１ｅの位置精度は低くなる。以上のような理由により、ｗ２には、−１〜＋１μｍ程度の誤差しか含まれないが、ｗ１には、−１０〜＋１０μｍ程度の誤差が生じてしまう。
【００２０】
回折格子１０２は、半導体レーザ１０１から出射されたＢＤ光、ＤＶＤ光、ＣＤ光のうち主としてＢＤ光をメインビームと２つのサブビームに分割する。回折格子１０２には、ＢＤ光の３つのビームがディスクのトラックに沿うよう回折溝が形成されている。なお、ＤＶＤ光とＣＤ光も回折格子１０２による回折作用を受けるが、これら光のサブビームの強度は、極めて小さくなっている。
【００２１】
ＰＢＳミラー１０３は、回折格子１０２側から入射されたレーザ光を反射する。ＰＢＳミラー１０３は、入射面と出射面が正方形の輪郭を有する薄板状の平行平板となっており、その入射面に、偏光膜が形成されている。半導体レーザ１０１は、ＢＤ光、ＤＶＤ光、ＣＤ光の偏光方向がＰＢＳミラー１０３に対してＳ偏光となるように配置されている。
【００２２】
１／４波長板１０４は、ＰＢＳミラー１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳミラー１０３を透過して光検出器１１０へと導かれる。
【００２３】
コリメータレンズ１０５は、ＰＢＳミラー１０３によって反射されたレーザ光を平行光に変換する。レンズアクチュエータ１０６は、１／４波長板１０４とコリメータレンズ１０５を、コリメータレンズ１０５の光軸方向に駆動する。コリメータレンズ１０５が移動されることにより、レーザ光に生じる収差が補正される。
【００２４】
立ち上げミラー１０７は、コリメータレンズ１０５側から入射されたレーザ光を対物レンズ１０８に向かう方向（ｙ軸負方向）に反射する。対物レンズ１０８は、ホルダ１２１に保持され、ホルダ１２１は、対物レンズアクチュエータ１２２によって、フォーカス方向（ｙ軸方向）およびトラッキング方向（ディスクのラジアル方向）に駆動される。このようにホルダ１２１が駆動されることにより、対物レンズ１０８が、フォーカス方向およびトラッキング方向に駆動される。
【００２５】
なお、コリメータレンズ１０５側から立ち上げミラー１０７に入射するレーザ光の光軸は、ディスクのタンジェンシャル方向に対して６７．５度傾いている。また、立ち上げミラー１０７からディスクに向かうＢＤ光のメインビームと２つのサブビームの並び方向は、ディスクのタンジェンシャル方向と一致している。
【００２６】
ディスクからの反射光は、１／４波長板１０４によりＰＢＳミラー１０３に対してＰ偏光となる直線偏光に変換される。これにより、ディスクからの反射光は、ＰＢＳミラー１０３を透過する。
【００２７】
ＤＯＥ２００は、ＢＤ光、ＤＶＤ光、ＣＤ光を回折させる。ＤＯＥ２００は、ＢＤ光に対しては＋１次の回折効率が高くなるよう設計されている。すなわち、ＤＯＥ２００は、回折作用により、ＢＤ光の進行方向を変化させる波長選択性の回折格子である。ＢＤ光の＋１次回折光は、ＤＯＥ２００によってＤＶＤ光の光軸に近づく方向（ｘ軸正方向）に曲げられる。これにより、ＢＤ光のメインビームの光軸は、光検出器１１０の受光面上において、ＤＶＤ光の光軸と一致することになる。ＤＶＤ光、ＣＤ光は、一部がＤＯＥ２００によって回折され、残りはＤＯＥ２００を透過する。ＢＤ光に対するＤＯＥ２００の＋１次の回折効率は、８０％程度である。また、ＤＶＤ光、ＣＤ光に対するＤＯＥ２００の０次の回折効率は、４０％程度である。ＤＯＥ２００を透過したＤＶＤ光、ＣＤ光は、光検出器１１０上の対応するセンサへと導かれる。
【００２８】
非点収差板１０９は、平行平板であり、ＢＤ光、ＤＶＤ光、ＣＤ光の光軸に対して４５度傾くように配置されている。これにより、非点収差板１０９に収束状態で入射するＢＤ光、ＤＶＤ光、ＣＤ光に対して、非点収差が導入される。なお、ＰＢＳミラー１０３は、平行平板であり、且つ、ＢＤ光、ＤＶＤ光、ＣＤ光の光軸に対して傾いて配置されているため、各光には、ＰＢＳミラー１０３によっても非点収差が導入される。非点収差板１０９は、自身が導入する非点収差とＰＢＳミラー１０３によって導入される非点収差とによって、各光に適正な非点収差が導入されるよう、厚み、屈折率、傾き方向が調整されている。
【００２９】
光検出器１１０の受光面は、ｘｙ平面に平行であり、かかる受光面上には、ＢＤ光、ＤＶＤ光、ＣＤ光が照射される位置に、４分割センサが配置されている。光検出器１１０の受光面上に配置される４分割センサについては、追って図２（ｂ）を参照して説明する。なお、光検出器１１０は、これら４分割センサからの出力信号を処理するための信号処理回路を、さらに備えている。すなわち、光検出器１１０は、センサと信号処理回路が一体的に集積された、いわゆる、ＰＤＩＣからなっている。光検出器１１０の信号処理回路については、追って、図９を参照して説明する。
【００３０】
図２（ａ）は、光検出器１１０の受光面上におけるＢＤ光、ＤＶＤ光、ＣＤ光の照射位置を説明する図である。なお、図２（ａ）では、ＤＯＥ２００と光検出器１１０の受光面との間に配される非点収差板１０９の図示が、便宜上、省略されており、ＤＯＥ２００の入射面と出射面の輪郭は、便宜上、正方形となっている。
【００３１】
ＢＤ光、ＤＶＤ光、ＣＤ光は、この順に、ｘ軸正方向に並んだ状態でＤＯＥ２００に入射する。ＤＯＥ２００に入射するＢＤ光は、回折格子１０２によってメインビームとサブビームに分割されている。これら３つのビームの並び方向は、ディスクのタンジェンシャル方向に対応する方向となっており、ＤＯＥ２００の回折方向（ｘ軸方向）に垂直な方向に対して僅かに傾いた状態となっている。
【００３２】
ＤＯＥ２００に入射するＢＤ光の３つのビームは、ＤＯＥ２００の回折作用によりｘ軸正方向に曲げられる。なお、図２（ａ）では、ＢＤ光の＋１次以外の回折光と、ＤＶＤ光とＣＤ光の０次以外の回折光は、便宜上、図示されていない。
【００３３】
ＤＯＥ２００の回折作用により生じるＢＤ光の３つのビームの＋１次回折光は、ｚ軸正方向にｘ軸正方向の成分が加えられた方向に進む。また、ＤＶＤ光とＣＤ光の０次回折光はｚ軸正方向に進む。このように、ＤＯＥ２００の回折作用により、光検出器１１０の受光面上において、ＢＤ光のメインビームの光軸と、ＤＶＤ光の光軸が一致する。
【００３４】
図２（ｂ）は、光検出器１１０の受光面上に配される４分割センサＳ１〜Ｓ４を示す図
である。なお、図２（ｂ）は、光検出器１１０を裏面から（ｚ軸負方向に）見た場合の４分割センサＳ１〜Ｓ４を示している。
【００３５】
４分割センサＳ１は、ＢＤ光のメインビームとＤＶＤ光を受光し、４分割センサＳ２、Ｓ３は、ＢＤ光の２つのサブビームを受光し、４分割センサＳ４は、ＣＤ光を受光する。４分割センサＳ１〜Ｓ３は、これら３つの４分割センサの並び方向が、図２（ａ）に示すＢＤ光の３つのビームの並び方向に一致するよう傾いて配されている。４分割センサＳ４は、発光部１０１ａ〜１０１ｃの並び方向と同じ方向（ｘ軸方向）に、４分割センサＳ１と隣り合うように配される。
【００３６】
また、４分割センサＳ１〜Ｓ４は、それぞれ、センサＳ１１〜Ｓ１４と、センサＳ２１〜Ｓ２４と、センサＳ３１〜Ｓ３４と、センサＳ４１〜Ｓ４４からなる。ここで、図２（ｂ）において、４分割センサＳ１〜Ｓ３の並び方向をＹ軸方向とし、Ｙ軸方向に垂直な方向をＸ軸方向とすると、Ｘ軸方向とＹ軸方向は、それぞれ、ディスクのラジアル方向とタンジェンシャル方向に対応する方向となる。４分割センサＳ１〜Ｓ４の分割線は、Ｘ軸方向とＹ軸方向に一致するよう構成される。４分割センサＳ１〜Ｓ４を構成する各センサからの出力により、再生ＲＦ信号、フォーカスエラー信号、トラッキングエラー信号が生成される。
【００３７】
ここで、上述したように、間隔ｗ１には大きな誤差が生じ易い。このため、光ピックアップ装置１の光学系が設計位置に適正に配置されたとしても、光検出器１１０の受光面上において、ＢＤ光の３つのビームの照射位置が、４分割センサＳ１〜Ｓ３の中心からずれてしまう惧れがある。このように、ＢＤ光の照射位置がずれると、４分割センサＳ１〜Ｓ３から出力されるＢＤ光の検出信号の精度が低下してしまう。
【００３８】
そこで、本実施の形態では、まず、ＤＶＤ光とＣＤ光を用いて、光検出器１１０の位置調整が行われる。この調整では、光検出器１１０の受光面上において、ＤＶＤ光の照射位置が４分割センサＳ１の中心に位置付けられ、且つ、ＣＤ光の照射位置が４分割センサＳ４の中心に位置付けられるよう、ｘｙ平面内における光検出器１１０の位置が調整される。この場合、図１（ｃ）に示した間隔ｗ２のバラつきが小さいため、かかる調整により、ＤＶＤ光とＣＤ光は、それぞれ、４分割センサＳ１、Ｓ２の中心に位置付けられる。光検出器１１０の位置調整については、追って、図１０（ａ）〜（ｄ）を参照して説明する。
【００３９】
しかしながら、このようにＤＶＤ光とＣＤ光を用いて光検出器１１０の位置調整が行われても、図１（ｃ）に示した間隔ｗ１のバラつきが大きいため、光検出器１１０の受光面上におけるＢＤ光のメインビームとサブビームの照射位置は、しばしば、４分割センサＳ１〜Ｓ３から外れてしまう。このため、４分割センサＳ１〜Ｓ３から出力されるＢＤ光の検出信号の精度が低下する。
【００４０】
かかる問題を解消するために、本実施の形態では、上述の調整の後、ＤＯＥ２００のｚ軸方向の位置を調整することにより、光検出器１１０の受光面上において、ＢＤ光のｘ軸方向の照射位置を調整する。また、ＤＯＥ２００のｘｙ平面内における回転方向の位置を調整して、ＤＯＥ２００の回折方向を調整することにより、光検出器１１０の受光面上において、ＢＤ光の回転方向の照射位置を調整する。こうして、光検出器１１０の受光面上において、ＢＤ光と、ＤＶＤ光と、ＣＤ光の照射位置が、適正な位置に位置付けられることとなる。
【００４１】
ＤＯＥ２００の位置調整を行う場合、ＢＤ光のみを光検出器１１０に照射させる。このとき、センサＳ１１〜Ｓ１４の検出信号を、それぞれＳ１１〜Ｓ１４と表すとする。ＢＤ光のメインビームが４分割センサＳ１に対してＸ軸正方向にどの程度ずれているかを示す
信号ＰｏｓＸと、ＢＤ光のメインビームが４分割センサＳ１に対してＹ軸正方向にどの程度ずれているかを示す信号ＰｏｓＹは、以下の式（１）、（２）の演算により取得することができる。
【００４２】
ＰｏｓＸ＝｛（Ｓ１１＋Ｓ１２）−（Ｓ１３＋Ｓ１４）｝
／（Ｓ１１＋Ｓ１２＋Ｓ１３＋Ｓ１４）  …（１）
ＰｏｓＹ＝｛（Ｓ１１＋Ｓ１４）−（Ｓ１２＋Ｓ１３）｝
／（Ｓ１１＋Ｓ１２＋Ｓ１３＋Ｓ１４）  …（２）
【００４３】
本実施の形態では、ＤＯＥ２００を、ｚ軸方向とｘｙ平面平行な回転方向に移動させて、信号ＰｏｓＸ、ＰｏｓＹが０となるようＤＯＥ２００の位置を調整する。これにより、ＢＤ光の３つのビームの照射位置が、４分割センサＳ１〜Ｓ３上に位置付けられるようになる。
【００４４】
かかる調整を行うため、本実施の形態では、ＤＯＥ２００を、ｚ軸方向とｘｙ平面に平行な回転方向に移動可能に支持する支持機構が設けられている。以下、かかる支持機構について、図３以降を参照して説明する。
【００４５】
図３は、ＤＯＥ２００が支持部３００に設置された状態を示す図である。なお、図３には、便宜上、図１（ａ）、（ｂ）に示す光学系が設置されるハウジングＨのうち、ＤＯＥ２００を支持する支持部３００の近傍のみが示されている。図１（ａ）に示す各光学部材は、ハウジングＨの裏面側に形成された凹部内に設置される。したがって、図３に示す支持部３００は、ハウジングＨの裏面側に形成された凹部内に一体的に形成されている。図１（ｂ）に示す対物レンズ１０８、ホルダ１２１および対物レンズアクチュエータ１２２は、ハウジングＨの表面側に設置される。したがって、図１（ｂ）に示す立ち上げミラー１０７と対物レンズ１０８との間のハウジングＨの部分には、ＢＤ光、ＤＶＤ光およびＣＤ光を立ち上げミラー１０７から対物レンズ１０８へ通すための開口（図示せず）が設けられている。ハウジングＨは、たとえば、ＰＰＳ（ポリフェニレンスルファイド）により形成される。
【００４６】
図３に示すように、ＤＯＥ２００を支持する支持機構は、ハウジングＨに形成された支持部３００と、ＤＯＥ２００を支持部３００に押し付けるためのバネ部材４００からなっている。
【００４７】
図４（ａ）、（ｂ）は、ＤＯＥ２００の構成を示す図である。図４（ａ）は、ＤＯＥ２００をＺ軸正側から見た斜視図、図４（ｂ）は、ＤＯＥ２００をＺ軸負側から見た斜視図である。
【００４８】
図４（ａ）、（ｂ）を参照して、ＤＯＥ２００は、回転軸２０１と、回転軸２０１のｚ軸方向の中央付近からｙ軸負方向に延びる板部２０２とを備える。ＤＯＥ２００は、たとえば、ＣＯＰ（シクロオレフィンポリマー）等の樹脂材料を用いて、射出成型によって一体形成されている。回転軸２０１は、ｚ軸方向に平行に延びており、板部２０２の連結位置によって、ｚ軸方向に２つの部分に区分される。
【００４９】
板部２０２は、ｚ軸方向に所定の厚みを有する。板部２０２のｚ軸正側の面には、ＢＤ光、ＤＶＤ光、ＣＤ光に対し上述の回折作用を付与するブレーズ型の回折構造２０３が形成されている。回折構造２０３には、所定の回折角でＢＤ光を一方向に回折するよう、所定のピッチで回折パターンが形成されている。回折構造２０３のピッチ方向は、図４（ａ）、（ｂ）において、ｘ軸方向である。よって、回折構造２０３は、ＢＤ光、ＤＶＤ光、ＣＤ光をｘ軸方向に回折する。なお、回折構造２０３は、ブレーズ型に限らず、ステップ
型であっても良い。
【００５０】
また、板部２０２のｚ軸負側の面の、回折構造２０３が形成された領域に対応する領域（光透過領域２０４）は、他の領域に比べて面精度が高められている。すなわち、射出成形の際に用いられる金型において、光透過領域２０４に対応する領域が鏡面加工されている。
【００５１】
また、板部２０２のｙ軸負側の端部には、その中央に、突部２０５が、ｙ軸負方向に延びるように形成されている。この突部２０５は、後述のように、ＤＯＥ２００を位置調整する際に、ジグによって把持される。さらに、板部２０２には、ｚ軸正側に当接面２０６ａが形成され、また、ｚ軸負側に当接面２０６ｂが形成されている。これら、当接面２０６ａ、２０６ｂは、ｚ軸に垂直な平面である。
【００５２】
回転軸２０１には、ｘ軸正側の端部とｘ軸負側の端部に、それぞれ、円形の周面を有する円柱部２０７ａ、２０７ｂが形成されている。円柱部２０７ａ、２０７ｂの中心軸は、回転軸２０１の中心軸に一致している。また、円柱部２０７ａ、２０７ｂの径は、互いに同じである。さらに、円柱部２０７ａ、２０７ｂの上面には、それぞれ、傾斜部２０８ａ、２０８ｂが形成されている。傾斜部２０８ａ、２０８ｂは、回転軸２０１のｚ軸方向の中央に向かうほど径が大きくなる円弧状の周面となっている。また、傾斜部２０８ａ、２０８ｂは、ｚ軸方向の、当接面２０６ａ、２０６ｂに対応する位置において、回転軸２０１の円弧状の天面に繋がっている。円柱部２０７ａ、２０７ｂの下面には傾斜部２０８ａは形成されておらず、端部と同じ径の円柱面となっている。
【００５３】
傾斜部２０８ａ、２０８ｂは、射出成形の際に、樹脂が円柱部２０７ａ、２０７ｂの端部まで行き渡り易くするために形成されている。また、傾斜部２０８ａ、２０８ｂの上面が円弧状であることにより、後述のように、ＤＯＥ２００の位置調整時にＤＯＥ２００がｚ軸方向に移動され、バネ部材４００の押さえ部４０４ａ（図５（ｃ）参照）が傾斜部２０８ａ、２０８ｂの上面に乗り上げるような状態となっても、ＤＯＥ２００をスムーズに回転させることができる。なお、円柱部２０７ａ、２０７ｂのｚ軸方向の長さは、傾斜部２０８ａ、２０８ｂのｚ軸方向の長さよりもやや大きくなっている。
【００５４】
上記構成を有するＤＯＥ２００が射出成形により一体形成された後、回折構造２０３の表面と、光透過領域２０４に、反射防止膜が形成される。
【００５５】
図５（ａ）、（ｂ）は、支持部３００の構成を示す図である。図５（ａ）は、支持部３００をＺ軸正側から見た斜視図、図５（ｂ）は、支持部３００をＺ軸負側から見た斜視図である。
【００５６】
図５（ａ）、（ｂ）を参照して、支持部３００は、直方体形状を有している。支持部３００のｘ軸方向の幅はＷ１である。支持部３００の中央には、ＤＯＥ２００を収容するための開口３０１が形成されている。また、支持部３００の上面３０２には、ｘ軸方向に並ぶ２つの突部３０３ａ、３０３ｂが形成されている。突部３０３ａ、３０３ｂのｙ軸方向の高さは同じである。突部３０３ａ、３０３ｂは、それぞれ、傾斜面Ｄ１ａ、Ｄ１ｂを介して、支持部３００の側面に繋がっている。
【００５７】
また、支持部３００の上面３０２には、ｘ軸方向の中央位置に、Ｖ字状の溝部３０４ａ、３０４ｂが形成されている。Ｖ字状の溝部３０４ａは、支持部３００の上面から４５度ｙ軸負方向に傾いた２つの平面を有している。同様に、Ｖ字状の溝部３０４ｂは、支持部３００の上面から４５度ｙ軸負方向に傾いた２つの平面を有している。溝部３０４ａ、３０４ｂの一方の平面は同一平面上にあり、溝部３０４ａ、３０４ｂの他方の平面は同一平
面上にある。溝部３０４ａ、３０４ｂの底にある稜線は、ｚ軸方向に平行な同一の直線上に含まれる。
【００５８】
さらに、溝部３０４ａの開口３０１側には、溝部３０４ａへと続く当接面３０５ａが形成され、溝部３０４ｂの開口３０１側にも、溝部３０４ｂへと続く当接面３０５ｂが形成されている。これら当接面３０５ａ、３０５ｂは、ｚ軸方向に垂直な平面であり、ＤＯＥ２００の板部２０２が開口３０１に収容されたときに、板部２０２の当接面２０６ａ、２０６ｂと対向する。したがって、ＤＯＥ２００は、当接面２０６ａが支持部３００側の当接面３０５ａに当接するまでｚ軸正方向に移動可能であり、また、当接面２０６ｂが支持部３００側の当接面３０５ｂに当接するまでｚ軸負方向に移動可能である。
【００５９】
支持部３００の側面には、突部３０３ａ、３０３ｂの下方の位置に、それぞれ、突状の係止部３０６ａ、３０６ｂが形成されている。係止部３０６ａ、３０６ｂのｙ軸方向の高さは、互いに同じである。また、係止部３０６ａ、３０６ｂの上部には、支持部３００の側面へと続く傾斜面Ｄ２ａ、Ｄ２ｂが形成されている。
【００６０】
支持部３００のｚ軸正側の側面とｚ軸負側の側面には、それぞれ、開口３０１へと続く孔３０７ａ、３０７ｂが形成されている。孔３０７ａ、３０７ｂは、長方形の２つの角が丸められた同じ形状を有する。ｚ軸方向に見たとき、孔３０７ａ、３０７ｂは、完全に重なる。
【００６１】
なお、開口３０１は、ハウジングＨ（図３参照）の表面側から外部に開放されている。すなわち、支持部３００の内部は、側壁によって囲まれた空間であり、この空間は、ハウジングＨが切り欠かれた孔３０８によって、表面側から外部に開放されている。したがって、ＤＯＥ２００の板部２０２が支持部３００の開口３０１に収容されたとき、板部２０２のｙ軸負側の端部に形成された突部２０５（図４参照）が、孔３０８を介して、ハウジングＨの表面側から外部に露出する。
【００６２】
図５（ｃ）は、バネ部材４００の構成を示す斜視図である。
【００６３】
図５（ｃ）に示すように、バネ部材４００は、可撓性を有する薄板状の金属部材を折り曲げた形状を有している。すなわち、バネ部材４００は、ｙ軸負方向に延びる２つの腕部４０１ａ、４０１ｂを上板部４０１ｃで連結した形状を有している。上板部４０１ｃは、ｘ−ｚ平面に平行である。腕部４０１ａは、ｙ−ｚ平面に平行な状態からややｘ軸負方向に傾いており、腕部４０１ｂは、ｙ−ｚ平面に平行な状態からややｘ軸正方向に傾いている。
【００６４】
腕部４０１ａ、４０１ｂには、ｘ軸方向に互いに向き合う領域に孔４０２ａ、４０２ｂが形成されている。孔４０２ａ、４０２ｂは、長方形の角を丸めた輪郭を有し、支持部３００側の係止部３０６ａ、３０６ｂ（図５ａ）、（ｂ）参照）の輪郭よりもやや大きく形成されている。
【００６５】
腕部４０１ａ、４０１ｂのｙ軸負側の端部には、それぞれ、鍔部４０３ａ、４０３ｂが延設されている。鍔部４０３ａは、ｙ−ｚ平面に平行な状態からややｘ軸正方向に傾いており、鍔部４０３ｂは、ｙ−ｚ平面に平行な状態からややｘ軸負方向に傾いている。したがって、鍔部４０３ａ、４０３ｂ間の距離は、ｙ軸負方向に進むにつれて次第に広がっている。鍔部４０３ａ、４０３ｂの上縁間の距離Ｗ２は、図５（ａ）に示す支持部３００のｘ軸方向の幅Ｗ１よりもやや狭い。
【００６６】
上板部４０１ｃのｘ軸方向の中央位置には、ｚ軸正方向およびｘ軸負方向に延びる押さ
え部４０４ａ、４０４ｂが形成されている。押さえ部４０４ａ、４０４ｂは、ｘ軸方向に見ると緩やかなＶ字形状を有している。押さえ部４０４ａ、４０４ｂの裏側の面の最下点は、それぞれ、上板部４０１ｃの裏側の面よりも、所定の距離だけ低くなっている。
【００６７】
さらに、上板部４０１ｃの側縁には、ｙ軸方向に延びる２つの突片４０５ａ、４０５ｂが形成されている。これら突片４０５ａ、４０５ｂは、バネ部材４００を支持部３００に装着する際に、ピンセット等のジグによって把持される。
【００６８】
図６は、ＤＯＥ２００を支持部３００に装着する工程を説明する斜視図である。
【００６９】
図６を参照して、ＤＯＥ２００の装着時には、板部２０２が開口３０１に収容されよう、２つの円柱部２０７ａ、２０７ｂが、それぞれ、溝部３０４ａ、３０４ｂ上に載置される。さらに、腕部４０１ａ、４０１ｂが支持部３００の中央をｘ軸方向に挟むようにして、上側（ｙ軸負側）からバネ部材４００が支持部３００に嵌め込まれる。このとき、鍔部４０３ａ、４０３ｂが支持部３００側の突部３０３ａ、３０３ｂの傾斜面Ｄ１ａ、Ｄ１ｂに乗り上げ、腕部４０１ａ、４０１ｂが押し広げられる。さらにバネ部材４００がｙ軸負方向に押し込まれると、鍔部４０３ａ、４０３ｂが支持部３００側の係止部３０６ａ、３０６ｂの傾斜面Ｄ２ａ、Ｄ２ｂ（図５（ｂ）参照）に乗り上げ、腕部４０１ａ、４０１ｂがさらに押し広げられる。
【００７０】
その後、さらにバネ部材４００がｙ軸負方向に押し込まれると、腕部４０１ａ、４０１ｂに形成された孔４０２ａ、４０２ｂが支持部３００の係止部３０６ａ、３０６ｂ（図５（ｂ）参照）の位置に位置付けられ、腕部４０１ａ、４０１ｂの弾性復帰力によって、孔４０２ａ、４０２ｂが支持部３００の係止部３０６ａ、３０６ｂに嵌まり込む。こうして、バネ部材４００が支持部３００に装着される。このとき、バネ部材４００の押さえ部４０４ａ、４０４ｂの下面が、ＤＯＥ２００の円柱部２０７ａ、２０７ｂの上面、または、傾斜部２０８ａ、２０８ｂの上面に押し付けられ、押さえ部４０４ａ、４０４ｂがｙ軸正方向に撓む。これにより、押さえ部４０４ａ、４０４ｂに弾性復帰力が生じ、この力によって、ＤＯＥ２００が溝部３０４ａ、３０４ｂに押し付けられる。こうして、図３に示すように、ＤＯＥ２００が支持部３００に仮止めされる。
【００７１】
図３の状態では、未だ、ＤＯＥ２００が支持部３００に固着されていないため、ＤＯＥ２００は、ｚ軸方向に移動可能であり、且つ、ｘ−ｙ平面に平行な方向に回転可能である。
【００７２】
図７（ａ）、（ｂ）は、ＤＯＥ２００が支持部３００に仮止めされた状態を示す図である。図７（ａ）は、支持部３００をｚ軸方向負方向に見たときの側面図、図７（ｂ）は支持部３００をｙ軸負方向に見たときの平面図である。
【００７３】
図７（ａ）、（ｂ）を参照して、ＤＯＥ２００は、回転軸２０１が押さえ部４０４ａ、４０４ｂによって溝部３０４ａ、３０４ｂに押さえ付けられることにより、支持部３００に支持されている。ここで、押さえ部４０４ａ、４０４ｂには、円形の周面を有する円柱部２０７ａ、２０７ｂまたは円弧状の周面を有する傾斜部２０８ａ、２０８ｂが当接し、溝部３０４ａ、３０４ｂには、円形の周面を有する円柱部２０７ａ、２０７ｂが当接している。また、円柱部２０７ａ、２０７ｂの中心軸は一致している。このため、回転軸２０１は、各面間に働く静止摩擦力以上の力が中心軸周りに付与されると、滑らかに回転する。また、溝部３０４ａ、３０４ｂは、ｚ軸方向に直線状に並んでいる。このため、回転軸２０１は、各面間に働く静止摩擦力以上の力がｚ軸方向に付与されると、ｚ軸方向に滑らかに移動する。
【００７４】
＜光検出器１１０の位置調整＞
次に、光検出器１１０の位置調整方法について説明する。上述の如く、光検出器１１０の位置調整は、ＤＶＤ光とＣＤ光を用いて行われる。
【００７５】
まず、図８（ａ）〜（ｄ）を参照して、ＤＯＥ２００とＤＶＤ光の回折状態との関係について説明する。図８（ａ）、（ｃ）は、ｚ軸方向におけるＤＯＥ２００の位置を示す平面図であり、図８（ｂ）、（ｄ）は、それぞれ、ＤＯＥ２００が図８（ａ）、（ｃ）の位置にあるときの、４分割センサＳ１、Ｓ２に対するＤＶＤ光の照射状態を模式的に示す図である。なお、図８（ａ）、（ｃ）では、便宜上、バネ部材４００が省略されている。また、図８（ｂ）、（ｄ）には、回折構造２０３を透過したＤＶＤ光の０次回折光が４分割センサＳ１の中央に照射された状態が示されている。また、図８（ｂ）、（ｄ）では、４分割センサＳ１、Ｓ４がｘ軸方向に並んでいるものとする。
【００７６】
ＤＯＥ２００が図８（ａ）の位置にあるとき、図８（ｂ）に示すように、回折構造２０３によって回折されたＤＶＤ光の＋１次回折光は、ＣＤ光用の４分割センサＳ４に入射しない。この状態から、ＤＯＥ２００をｚ軸正方向に移動させると、ＤＶＤ光の＋１次回折光は、次第に、ＣＤ光用の４分割センサＳ４に近づく。そして、ＤＯＥ２００の当接面２０６ａが支持部３００の当接面３０５ａに当接するまでＤＯＥ２００をｚ軸方向に移動させると、図８（ｄ）に示すように、ＤＶＤ光の＋１次回折光はＣＤ光用の４分割センサＳ４の中央付近に入射する。
【００７７】
なお、図８（ｄ）において、回折構造２０３によるＤＶＤ光の回折方向がｘ軸に平行でない場合、ＤＶＤ光の＋１次回折光は、４分割センサＳ４の中央からややずれる。しかし、本実施の形態では、回転軸２０１を中心にＤＯＥ２００が回転する角度は、±４〜５度程度に設定されており、受光面上におけるＤＶＤ光の＋１次回折光の回転移動範囲も小さい。このため、回折構造２０３によるＤＶＤ光の回折方向がｘ軸に平行でない場合にも、ＤＶＤ光の＋１次回折光は、４分割センサＳ４に広い範囲で入射する。
【００７８】
次に、図９（ａ）を参照して、光検出器１１０の信号処理回路１１０ａについて説明する。図９（ｂ）には、図２（ｂ）に示すセンサレイアウトが、便宜上、向きを変えて示されている。なお、図９（ｂ）において、４分割センサＳ１〜Ｓ４に投影されるトラックの方向は、ＰＢＳミラー１０３と非点収差板１０９とによって導入される非点収差作用により、Ｘ軸に平行となっている。
【００７９】
なお、図９（ａ）には、信号処理回路１１０ａからの出力信号からトラッキングエラー信号ＴＥを生成するための回路（加算器１１、１２、減算器１５）と、フォーカスエラー信号ＦＥを生成するための回路（加算器１３、１４、減算器１６）と、補償信号を生成するための回路（サブ信号演算回路１７）が例示されている。これらの回路は、光ピックアップ装置１が搭載される光ディスク装置側に装備されている。サブ信号演算回路１７は、ＢＤ光をＢＤに照射する際に、ＢＤ光のサブビームを受光する４分割センサＳ２、Ｓ３からの信号に基づいて、フォーカスエラー信号ＦＥおよびトラッキングエラー信号ＴＥを補償するための信号を生成する。補償信号は、適宜、フォーカスエラー信号ＦＥおよびトラッキングエラー信号ＴＥに加算される。
【００８０】
図９（ａ）を参照して、信号処理回路１１０ａは、８つのセレクタＳＬ１〜ＳＬ８と、８つのアンプＡ１〜Ａ８と、８つの出力端子Ｔ１〜Ｔ８を備えている。この他、信号処理回路１１０ａは、制御回路を備えており、この制御回路によって、セレクタＳＬ１〜ＳＬ８が制御され、また、アンプＡ１〜Ａ８のゲインが調整される。なお、図９（ａ）において、Ｓ１１〜Ｓ１４、Ｓ２１〜Ｓ２４、Ｓ３１〜Ｓ３４、Ｓ４１〜Ｓ４４は、それぞれ、図９（ｂ）に示す各センサからの出力信号である。各センサからの信号は、それぞれ、セ
レクタＳＬ１〜ＳＬ８に入力される。
【００８１】
セレクタＳＬ１〜ＳＬ４は、入力された信号の何れか一方をアンプＡ１〜Ａ４に出力する。また、セレクタＳＬ５〜ＳＬ８は、入力された信号のうち一つまたは複数を選択してアンプＡ５〜Ａ８に出力する。セレクタＳＬ５〜ＳＬ８が複数の入力信号を選択する場合、選択された信号は加算され、加算された信号が、それぞれ、アンプＡ５〜Ａ８に出力される。アンプＡ１〜Ａ８は、それぞれ、入力された信号を、制御回路により設定されたゲインで増幅して出力端子Ｔ１〜Ｔ８に出力する。
【００８２】
図９に示す信号処理回路１１０ａでは、出力端子Ｔ１〜Ｔ４が、４分割センサＳ１の各センサからの信号の出力と、４分割センサＳ４の各センサからの信号の出力に共用されている。すなわち、ＤＶＤ光が用いられる場合、セレクタＳＬ１〜ＳＬ４は、それぞれ、４分割センサＳ１のセンサＳ１１〜Ｓ１４からの信号をアンプＡ１〜Ａ４に出力するよう制御される。また、ＣＤ光が用いられる場合、セレクタＳＬ１〜ＳＬ４は、それぞれ、４分割センサＳ４のセンサＳ４１〜Ｓ４４からの信号をアンプＡ１〜Ａ４に出力するよう制御される。
【００８３】
ＢＤ光が用いられる場合、セレクタＳＬ１〜ＳＬ４は、それぞれ、４分割センサＳ１のセンサＳ１１〜Ｓ１４からの信号をアンプＡ１〜Ａ４に出力するよう制御される。また、ＢＤ光が用いられる場合、セレクタＳＬ５〜ＳＬ８は、それぞれ、４分割センサＳ２のセンサＳ２１〜Ｓ２４からの信号と、４分割センサＳ３のセンサＳ３１〜Ｓ３４からの信号の中から所定の信号を選択してアンプＡ１〜Ａ４に出力するよう制御される。
【００８４】
なお、セレクタＳＬ５〜ＳＬ８には、ＢＤ光のサブビームを受光する４分割センサＳ２、Ｓ３の各センサからの出力とは別に、ＣＤ用の４分割センサＳ４のセンサＳ４１〜Ｓ４４からの出力も、選択候補として入力されている。セレクタＳＬ５〜ＳＬ８に入力されたセンサＳ４１〜Ｓ４４からの出力は、後述の如く、光検出器１１０の位置調整のためのテストモードにおいて、セレクタＳＬ５〜ＳＬ８により選択され、アンプＡ５〜Ａ６に出力される。
【００８５】
図１０（ａ）は、光検出器１１０の位置調整時の作業工程を示すフローチャートである。かかる位置調整は、光ピックアップ装置１の製造時に、所定の調整装置を用いて行われる。この調整は、反りの無い形状が安定した基準ディスクを用いて行われる。基準ディスクは、内周側にＣＤ層を有し、外周側にＤＶＤ層を有するハイブリッドディスクが使用される。ＤＶＤ光が出射される場合は、ＤＶＤ層が配された外周側の領域に光ピックアップ装置が位置付けられ、ＣＤ光が出射される場合はＣＤ層が配された内周側の領域に光ピックアップ装置が位置付けられる。
【００８６】
図１０（ｂ）〜（ｄ）には、位置調整時におけるＤＶＤ光と４分割センサＳ１、Ｓ４との関係が模式的に例示されている。図１０（ｂ）〜（ｄ）の左側には、それぞれ、ＤＯＥ２００近傍をｙ軸負方向に見た図が示され、右側には、それぞれ、４分割センサＳ１、Ｓ４近傍をｚ軸負方向に見た図が示されている。
【００８７】
図１０（ａ）を参照して、光検出器１１０の位置調整時には、まず、ＤＯＥ２００が、図８（ｃ）に示す調整位置に移動される（Ｓ１０１）。これにより、上記のように、ＣＤ光用の４分割センサＳ４によってＤＶＤ光の＋１次回折光が受光可能となる。次に、図９（ａ）に示すセレクタＳＬ１〜ＳＬ８がテストモードに設定される（Ｓ１０２）。これにより、４分割センサＳ１のセンサＳ１１〜Ｓ１４からの出力信号が出力端子Ｔ１〜Ｔ４から出力され、４分割センサＳ４のセンサＳ４１〜Ｓ４４からの出力信号が出力端子Ｔ５〜Ｔ８から出力される状態に、セレクタＳＬ１〜ＳＬ８が設定される。その後、ＤＶＤ光用
の発光部１０１ｂが点灯され、ＤＶＤ光が出射される（Ｓ１０３）。
【００８８】
この状態で、図１０（ｃ）に示すように、ＤＶＤ光の０次回折光が４分割センサＳ１の中央に入射するよう、調整装置を用いて、光検出器１１０の位置が調整される（Ｓ１０４）。この調整は、図９（ａ）の出力端子Ｔ１〜Ｔ４からの信号を用いて行われる。たとえば、出力端子Ｔ１〜Ｔ４から出力される信号から上記式（１）、（２）のＰｏｓＸ、ＰｏｓＹが演算され、これらＰｏｓＸ、ＰｏｓＹの値がゼロになるように、ｘ−ｙ平面に平行な方向において、光検出器１１０の位置が調整される。この場合、たとえば、ＰｏｓＸ、ＰｏｓＹの値がモニタ上に表示され、作業者は、表示されたＰｏｓＸ、ＰｏｓＹの値がゼロになるよう、光検出器１１０の位置を調整する。さらに、４分割センサＳ１から取得されるＲＦ信号（ＳＵＭ信号）が最大となるよう、ｚ軸方向において、光検出器１１０の位置が調整される。こうして、ＤＶＤ光を用いた光検出器１１０の位置調整が終了する。
【００８９】
しかしながら、Ｓ１０４の工程が開始される際に、回折構造２０３によって回折されたＤＶＤ光の＋１次回折光が、４分割センサＳ１に入射する場合がある。この場合、Ｓ１０４では、たとえば図１０（ｂ）に示すように、ＤＶＤ光の＋１次回折光が４分割センサＳ１の中央に入射するよう、光検出器１１０の位置調整が行われることになる。しかし、このように調整が行われると、次の工程において、図１０（ｄ）に示すように、４分割センサＳ４の中央にＣＤ光の０次回折光が入射するよう光検出器１１０の位置を調整するために、ＣＤ用の発光部１０１ｃを点灯させても、出射されたＣＤ光の０次回折光は、ＣＤ光用の４分割センサＳ４には入射しない。このため、ＣＤ光を用いた位置調整を適正に行うことができず、ＣＤ光を用いた位置調整を開始したものの、この調整がエラーとなって、再度、ＤＶＤ光を用いた位置調整をやり直す結果となってしまう。こうなると、光検出器１１０の位置調整における作業性が、顕著に低下する。
【００９０】
そこで、図１０（ａ）の調整フローでは、Ｓ１０４においてＤＶＤ光を用いた調整が終了した後、４分割センサＳ４のセンサＳ４１〜Ｓ４４からの信号を加算したＳＵＭ信号が監視され、かかるＳＵＭ信号の値が所定の閾値Ｓｈを超えているかによって、Ｓ１０４における位置調整の真偽が判定される（Ｓ１０５）。ＳＵＭ信号は、調整装置において、図９（ａ）の出力端子Ｔ５〜Ｔ８からの信号をもとに生成され、その値が、たとえばモニタに表示される。作業者は、モニタに表示されたＳＵＭ信号の値をもとに、Ｓ１０４における調整の真偽を判定することができる。
【００９１】
図１０（ｂ）の場合、４分割センサＳ４にはＤＶＤ光の＋１次回折光が入射しないため、ＳＵＭ信号の値はゼロ近傍となる。この場合、作業者は、Ｓ１０４における調整が偽であると判定し（Ｓ１０５：ＮＯ）、調整装置を用いて光検出器１１０をｘ軸負方向に移動させる（Ｓ１０６）。これにより、ＤＶＤ光の＋１次回折光が４分割センサＳ１から退避し、代わりに、ＤＶＤ光の０次回折光が４分割センサＳ１に入射するようになる。
【００９２】
しかる後、再度、Ｓ１０４の工程が行われ、これにより、図１０（ｃ）に示すように、ＤＶＤ光の０次回折光が光検出器１１０の中央に位置付けられる。この場合、ＤＶＤ光の＋１次回折光が４分割センサＳ４に入射するため、Ｓ１０５における判定はＹＥＳとなる。
【００９３】
こうして、ＤＶＤ光を用いた調整が完了すると（Ｓ１０５：ＹＥＳ）、ＤＶＤ光の出射が停止され、代わりに、ＣＤ光の出射が開始される（Ｓ１０７）。しかる後、ＣＤ光の０次回折光がＣＤ用の４分割センサＳ４の中央に入射するよう、ｘ−ｙ平面に平行な方向において、光検出器１１０の位置が調整される（Ｓ１０８）。ここでは、４分割センサＳ１の中心（２つの分割線の交点）について光検出器１１０を回転させることにより、光検出器１１０の位置調整が行われる。このように、４分割センサＳ１の中心について光検出器
１１０を回転させることにより、ＤＶＤ光の０次回折光が４分割センサＳ１の中央に位置付けられる状態が維持される。
【００９４】
Ｓ１０８の調整は、図９（ａ）の出力端子Ｔ５〜Ｔ８からの信号を用いて行われる。たとえば、出力端子Ｔ５〜Ｔ８から出力される信号から、上記式（１）、（２）と同様の演算によりＰｏｓＸ、ＰｏｓＹが生成され、これらＰｏｓＸ、ＰｏｓＹの値がゼロに最も近づくように、光検出器１１０の位置が調整される。この場合も、Ｓ１０４と同様、たとえば、ＰｏｓＸ、ＰｏｓＹの値がモニタ上に表示され、作業者は、表示されたＰｏｓＸ、ＰｏｓＹの値がゼロに最も近づくよう、光検出器１１０の位置を調整する。これにより、図１０（ｄ）に示すように、ＣＤ光の０次回折光が４分割センサＳ４の中央に入射することとなる。こうして、ＣＤ光を用いた光検出器１１０の位置調整が終了し、光検出器１１０の位置調整が完了する。位置調整が完了した後、光検出器１１０は、ハウジングＨに接着固定される。
【００９５】
＜ＤＯＥの位置調整＞
以上のようにして光検出器１１０の位置調整が行われた後、ＤＯＥの位置構成が行われる。
【００９６】
ＤＯＥ２００の位置調整時には、突部２０５が、ジグによって把持され、図７（ａ）のＡ１方向または図７（ｂ）のＢ方向（ｚ軸方向）に移動される。図７（ａ）に示すように、突部２０５は、孔３０８（図５（ａ）参照）を介して、ハウジングＨの表面側から外部に突出しており、この突出部分がジグによって把持される。突部２０５がＡ１方向に移動されると、これに伴い、回転軸２０１を軸として、ＤＯＥ２００が回転する。これにより、回折構造２０３によってＢＤ光に付与される回折作用の方向がｘ軸方向から傾き、ＢＤ光の回折方向が調整される。また、突部２０５がＢ方向（ｚ軸方向）に移動されると、これに伴い、回転軸２０１に沿って、ＤＯＥ２００が移動する。これにより、ＤＯＥ２００によって回折されたＢＤ光の照射位置が、光検出器１１０の受光面上において、ＤＯＥ２００の回折方向に平行に移動する。
【００９７】
図１１（ａ）、（ｂ）を参照して、ＤＯＥ２００の調整は、ＤＯＥ２００によって回折されたＢＤ光のメインビームが４分割センサＳ１の中心に位置付けられるよう行われる。すなわち、ＢＤ光のメインビームと２つのサブビームが、受光面上において図１１（ａ）に示す状態にあるとき、ＤＯＥ２００が、図７（ａ）のＡ１方向または図７（ｂ）のＢ方向（ｚ軸方向）に移動され、メインビームの位置が調整される。具体的には、上記式（１）、（２）の信号ＰｏｓＸ、ＰｏｓＹがゼロになる位置にＤＯＥ２００が移動される。これにより、図７（ｂ）のように、ＢＤ光のメインビームが４分割センサＳ１の中央に位置付けられ、これに伴い、ＢＤ光の２つのサブビームが、それぞれ、４分割センサＳ２、Ｓ３の中央に位置付けられる。
【００９８】
こうして、位置調整が行われた後、ＤＯＥ２００は支持部３００に接着固定される。この場合、接着剤は、たとえば、回転軸２０７ａ、２０７ｂと溝部３０４ａ、３０４ｂとの間の隙間（図７（ａ）のＰの位置）に塗布される。
【００９９】
＜実施の形態の効果＞
本実施の形態によれば、以下の効果が奏され得る。
【０１００】
図１０（ａ）のＳ１０６において、４分割センサＳ４の各センサの出力信号を加算したＳＵＭ信号をもとに、ＤＶＤ光を用いた光検出器の位置調整（Ｓ１０４）の真偽を判定することができる。よって、誤った位置調整作業を継続するとの事態を円滑に回避することができ、位置調整の作業性の低下を抑制することができる。
【０１０１】
また、図１０（ａ）のＳ１０５において位置調整が偽であると判定すると、Ｓ１０６において、光検出器１１０が回折方向と反対方向（ｘ軸負方向）に移動される。これにより、ＤＶＤ光の＋１次回折光を４分割センサＳ１から退避させ、代わりに、ＤＶＤ光の０次回折光を４分割センサＳ１に入射させることができる。そして、その後、再度、Ｓ１０４の位置調整工程を行うことで、円滑に、ＤＶＤ光を用いた位置調整を進めることができる。
【０１０２】
また、図１０（ａ）のＳ１０５において位置調整が真であると判定すると、Ｓ１０８において、４分割センサＳ１の中心（２つの分割線の交点）について光検出器１１０を回転させて、ＣＤ光に基づく光検出器１１０の位置調整が行われる。このように、４分割センサＳ１の中心について光検出器１１０を回転させることにより、ＤＶＤ光の０次回折光が４分割センサＳ１の中央に照射される状態を維持しつつ、ＣＤ光を用いた光検出器１１０の位置調整を円滑に進めることができる。
【０１０３】
また、図１０（ａ）のＳ１０１においてＤＯＥ２００を調整位置に移動させることにより、ＤＶＤ光の＋１次回折光を４分割センサＳ４に対応する位置に導くことができる。よって、Ｓ１０６における真偽判定を適正に行うことができる。なお、Ｓ１０１は、必ずしも、最初に行われる必要はなく、Ｓ１０５における判定までに行われれば良い。
【０１０４】
また、Ｓ１０１における調整位置がＤＯＥ２００の移動ストロークの限界位置に設定されているため、ＤＯＥ２００を移動ストロークの限界位置に移動させるといった簡易な作業で、ＤＶＤ光の＋１次回折光を４分割センサＳ４に対応する位置に導くことができる。すなわち、Ｓ１０１では、ＤＯＥ２００側の当接面２０６ａを支持部３００側の当接面３０５ａに当接させるだけで良い。
【０１０５】
また、図９に示すセレクタＳＬ４〜ＳＬ８に、ＢＤ光のサブビームを受光する４分割センサＳ２、Ｓ３の各センサからの出力信号とは別に、ＣＤ用の４分割センサＳ４のセンサＳ４１〜Ｓ４４からの出力信号も、選択候補として入力される。これにより、光検出器１１０の位置調整のためのテストモードにおいて、出力端子Ｔ５〜Ｔ８から、センサＳ４１〜Ｓ４４からの出力信号を出力させることができる。これにより、出力端子Ｔ１〜Ｔ４が４分割センサＳ１、Ｓ４の各センサからの出力のために共用されていても、テストモードにおいて、出力端子Ｔ１〜Ｔ４から４分割センサＳ１からの出力信号を出力させつつ、出力端子Ｔ５〜Ｔ８から４分割センサＳ４からの出力信号を出力させることができる。よって、光検出器１１０の位置調整時に、４分割センサＳ１、Ｓ２からの出力信号を利用できるようになる。
【０１０６】
以上、本発明の実施の形態について説明したが、本発明は、上記実施の形態に何ら制限されるものではなく、また、本発明の実施の形態も上記以外に種々の変更が可能である。
【０１０７】
たとえば、上記実施の形態では、輪郭が正方形の４分割センサＳ４が用いられたが、これに代えて、たとえば、図１２（ａ）に示すように、ＤＯＥ２００の回折方向に引き伸ばされた輪郭の４分割センサＳ４’が用いられても良い。
【０１０８】
図１２（ａ）の構成例において、４分割センサＳ４’は、ＣＤ光の０次回折光が照射される照射位置（２つの分割線の交点）に対し、回折方向側にある受光領域が、回折方向と反対側にある受光領域よりも広くなっている。また、４分割センサＳ４’の受光領域は、ＤＯＥ２００がｚ軸方向における移動可能範囲を移動したときの、光検出器１１０上におけるＤＶＤ光の＋１次回折光の移動範囲Ｌ１に応じて設定されている。すなわち、ＤＯＥ２００のｚ軸方向の移動に応じてＤＶＤ光の１次回折光が４分割センサＳ４’上を移動し
ても、全ての移動位置において、ＤＶＤ光の１次回折光が４分割センサＳ４’に照射されるよう、４分割センサＳ４’の受光領域が設定されている。
【０１０９】
この構成によれば、ＤＯＥ２００がｚ軸方向のどの位置にあっても、ＤＶＤ光の＋１次回折光が４分割センサＳ４’に照射されるため、図１０（ａ）のＳ１０１の工程を省略することができる。よって、光検出器１１０の位置調整時の作業性を高めることができる。
【０１１０】
なお、図１２（ａ）では、ＤＶＤ光の＋１次回折光が最もｘ軸正側にあるときに、ＤＶＤ光の＋１次回折光のビームスポットが４分割センサＳ４’の受光領域に含まれるよう、４分割センサＳ４’の受光領域が設定されているが、４分割センサＳ４’の受光領域は、図１２（ａ）の場合よりも広めにあるいは狭めに設定されても良い。すなわち、ＤＶＤ光の＋１次回折光が最もｘ軸正側にあるときに、図１０のＳ１０５における判別が可能な程度に、ＤＶＤ光の＋１次回折光が４分割センサＳ４’の受光領域に照射されていれば良く、この観点から、４分割センサＳ４’の受光領域が設定されれば良い。
【０１１１】
また、４分割センサＳ４’の輪郭は、必ずしも方形状でなくても良く、たとえば、長方形の輪郭が図１２（ａ）のＰ−Ｐ’線とＱ−Ｑ’線でカットされた輪郭であっても良い。こうすると、４分割センサＳ４’を構成する４つのセンサ間の受光面積の差を小さくすることができ、これらセンサ間の感度の差を抑制することができる。
【０１１２】
また、上記実施の形態では、コリメータレンズ１０５側から立ち上げミラー１０７に入射するレーザ光の光軸が、ディスクのタンジェンシャル方向に対して６７．５度傾いていたが、コリメータレンズ１０５側から立ち上げミラー１０７に入射するレーザ光の光軸が、ディスクのタンジェンシャル方向に平行である場合、４分割センサＳ１の一つの分割線と４分割センサの一つの分割線が直線状に並ぶようになる。この場合、図１２（ｂ）に示す４分割センサＳ４’を用いることにより、図１２（ａ）の場合と同様の効果が奏され得る。この構成例においても、４分割センサＳ４’の受光領域は、ＤＯＥ２００がｚ軸方向における移動可能範囲を移動したときの、光検出器１１０上におけるＤＶＤ光の＋１次回折光の移動範囲Ｌ２に応じて設定される。
【０１１３】
また、上記実施の形態では、ＢＤ光がＤＶＤ光の光軸に一致するようＤＯＥ２００が構成されたが、ＣＤ光がＤＶＤ光の光軸に一致するようＤＯＥ２００が構成されても良い。この場合、この変更に伴って、センサレイアウトも変更される。また、図１（ｃ）の構成において、ＤＶＤ光の発光点１０１ｂの配置位置とＣＤ光の発光点１０１ｃの配置位置が入れ替えられた場合、ＢＤ光がＣＤ光の光軸に一致するよう光学系が修正される。
【０１１４】
また、上記実施の形態では、４分割センサＳ４のＳＵＭ信号が所定の閾値を超えるかによって、Ｓ１０４における位置調整の真偽が判定されたが、かかる判定の際に関しする信号は必ずしもＳＵＭ信号でなくても良く、４分割センサＳ４からの信号をもとに生成される信号であって、且つ、４分割センサＳ４にＤＶＤ光の＋１次回折光が照射されていることを示す信号であれば、他の信号を用いても良い。
【０１１５】
さらに、ＤＯＥ２００や支持部３００、バネ部材４００の構成も、上記実施の形態のものに限らず、適宜変更可能である。たとえば、上記実施の形態では、溝部３０４ａ、３０４ｂの傾斜面が平面であったが、これら傾斜面が膨らんだ曲面またはやや凹んだ曲面であっても良い。また、円柱部２０７ａ、２０７ｂや傾斜部２０８ａ、２０８ｂのｚ軸方向の長さや、押さえ部４０４ａ、４０４ｂの押さえ位置も、適宜、変更可能である。さらには、円柱部２０７ａ、２０７ｂは同軸であれば径は異なっていても良い。円柱部２０７ａ、２０７ｂの径が異なる場合、回転軸２０１がｚ軸に平行となる状態でＤＯＥ２００が支持されるよう、溝部３０４ａ、３０４ｂのｙ軸方向の高さが調整される。
【０１１６】
この他、本発明の実施の形態は、特許請求の範囲に示された技術的思想の範囲内において、適宜、種々の変更が可能である。
【符号の説明】
【０１１７】
１  …  光ピックアップ装置
１１０  …  光検出器
２００  …  ＤＯＥ（回折素子）
２０６ａ  …  当接面（支持機構）
３００  …  支持部（支持機構）
３０５ａ  …  当接面（支持機構）
４００  …  バネ部材（支持機構）
Ｓ１  …  ４分割センサ（第１のセンサ）
Ｓ４、Ｓ４’  …  ４分割センサ（第２のセンサ部）
Ｓ２、Ｓ３  …  ４分割センサ（第３のセンサ部）
ＳＬ１〜ＳＬ４  …  セレクタ（第１のセレクタ）
ＳＬ５〜ＳＬ８  …  セレクタ（第２のセレクタ）
【図１】
2013222484.tif 000003
【図２】
2013222484.tif 000004
【図３】
2013222484.tif 000005
【図４】
2013222484.tif 000006
【図５】
2013222484.tif 000007
【図６】
2013222484.tif 000008
【図７】
2013222484.tif 000009
【図８】
2013222484.tif 000010
【図９】
2013222484.tif 000011
【図１０】
2013222484.tif 000012
【図１１】
2013222484.tif 000013
【図１２】
2013222484.tif 000014